(57)【特許請求の範囲】
【請求項１】
被加熱物を加熱するためのマイクロ波が供給される加熱室と、被加熱物回転用のターンテーブルを回転駆動するための駆動シャフトと、前記加熱室の底壁に設けられ、前記駆動シャフトが貫通するとともに加熱室外へのマイクロ波漏洩を抑制するシールパイプと、このシールパイプの下方に位置し、ターンテーブルを回転駆動するべく前記駆動シャフトを駆動するモータと、このモータと前記シールパイプの下端との間に位置し、前記駆動シャフトのみを覆う金属製覆体と、前記シールパイプから一体的に延びた取付片と、この取付片に固定され、前記モータを固定するモータ固定金具とを備えたことを特徴とするマイクロ波加熱装置。
【請求項２】
前記金属製覆体の上端は前記シールパイプの下端に近接していることを特徴とする請求項１記載のマイクロ波加熱装置。
【請求項３】
前記金属製覆体はスプリングであることを特徴とする請求項１記載のマイクロ波加熱装置。
【請求項４】
前記金属製覆体は円筒体であることを特徴とする請求項１記載のマイクロ波加熱装置。
【請求項５】
前記駆動シャフトは被加熱物の重量に応じて上下動する構成であり、且つ、前記駆動シャフトの上下動に応じて被加熱物の重量を検知する重量センサを、前記モータ内に搭載したことを特徴とする請求項１記載のマイクロ波加熱装置。
【発明の詳細な説明】
【０００１】
【発明の属する技術分野】
本発明は、電子レンジ等のマイクロ波加熱装置に関する。
【０００２】
【従来の技術及び発明が解決しようとする課題】
図２は従来の電子レンジの構造を示す。２０は被加熱物である食品を加熱するためのマイクロ波が供給される加熱室、２１は食品回転用のターンテーブルを回転駆動するための駆動シャフト、２２は前記加熱室２０の底壁の中央に形成された開口、２３は加熱室２０の底壁に溶接固定されて設けられ、前記駆動シャフト２１が貫通するとともに、前記開口２２から加熱室２０外へのマイクロ波漏洩を抑制する円筒状の金属製シールパイプ、２４はこのシールパイプから一体的に延びた取付片、２５はこの取付片２４に固定されたモータ固定金具、２６はこのモータ固定金具に固定され、前記シールパイプ２３の下方に位置し、ターンテーブルを回転駆動するべく前記駆動シャフト２１を駆動するモータである。
【０００３】
このような構成において、マイクロ波は前記シールパイプ２３から外部へ漏洩しにくいが、若干の漏洩は生じる。この場合、前記モータ２６内に重量センサが搭載されていると、重量センサに漏洩マイクロ波によるノイズが乗る恐れがある。
【０００４】
そこで、図３の如く、シールパイプ２３の下半分及び駆動シャフト２１全体を覆う円筒状の金属製覆体（スプリングまたは円筒体）２７を設ける対策が考えられる。
【０００５】
しかし、この場合は、漏洩マイクロ波量を一層低減することができるが、加熱室２０内の熱がシールパイプ２３を伝い更にはシールパイプ２３を覆っている金属製覆体２７を伝ってモータ２６に簡単に伝わり、モータの駆動機構等の信頼性に問題が生じる。また、モータ２６に重量センサが搭載されている場合、重量センサの精度にも問題が生じる。
【０００６】
本発明は、漏洩マイクロ波と熱がターンテーブルを駆動するモータに不所望に伝わるのを抑制できるマイクロ波加熱装置を提供することにある。
【０００７】
【課題を解決するための手段】
本発明のマイクロ波加熱装置は、被加熱物を加熱するためのマイクロ波が供給される加熱室と、被加熱物回転用のターンテーブルを回転駆動するための駆動シャフトと、前記加熱室の底壁に設けられ、前記駆動シャフトが貫通するとともに加熱室外へのマイクロ波漏洩を抑制するシールパイプと、このシールパイプの下方に位置し、ターンテーブルを回転駆動するべく前記駆動シャフトを駆動するモータと、このモータと前記シールパイプの下端との間に位置し、前記駆動シャフトのみを覆う金属製覆体と、前記シールパイプから一体的に延びた取付片と、この取付片に固定され、前記モータを固定するモータ固定金具とを備えたことを特徴とする。更に、前記金属製覆体の上端は前記シールパイプの下端に近接している。更に、前記金属製覆体はスプリングまたは円筒体である。更に、前記駆動シャフトは被加熱物の重量に応じて上下動する構成であり、且つ、前記駆動シャフトの上下動に応じて被加熱物の重量を検知する重量センサを、前記モータ内に搭載した。
【０００８】
この構成において、金属製覆体はシールパイプを覆っていないため、加熱室内の熱はシールパイプから金属製覆体に伝わりにくく、従って駆動モータ等の信頼性が加熱室内の熱で損なわれるのが抑制される。更に、金属製覆体がシールパイプの下端近傍に位置しているため、例えシールパイプからマイクロ波が漏れ出ようとしても、このマイクロ波の漏出は金属製覆体で抑制される。
【０００９】
【発明の実施の形態】
本発明の１実施例の電子レンジを図１に基づいて詳述する。１は被加熱物である食品を加熱するためのマイクロ波が供給される加熱室、２は食品回転用のターンテーブルを回転駆動するための駆動シャフト、３は前記加熱室１の底壁の中央に形成された開口、４は加熱室１の底壁に溶接固定されて設けられ、前記駆動シャフト２が貫通するとともに、前記開口３から加熱室１外へのマイクロ波漏洩を抑制する円筒状の金属製シールパイプ、５はこのシールパイプから一体的に延びた取付片、６はこの取付片５に固定されたモータ固定金具、７はこのモータ固定金具に固定され、前記シールパイプ４の下方に位置し、ターンテーブルを回転駆動するべく前記駆動シャフト２を駆動するモータである。８はこのモータと前記シールパイプ４の下端との間に位置し、前記駆動シャフト２のみを覆うスプリング状金属製覆体（円筒体状の金属製覆体であっても良い）である。前記金属製覆体８の上端は前記シールパイプ４の下端に近接している。更に、前記駆動シャフト２は食品の重量に応じて上下動する構成であり、且つ、前記駆動シャフト２の上下動に応じて食品の重量を検知する重量センサ９が、前記モータ７内に搭載されている。重量センサ９の検知重量に基づいて食品のマイクロ波時間が制御される。
【００１０】
この構成において、金属製覆体８はシールパイプ４を覆っていないため、加熱室１内の熱はシールパイプ４から金属製覆体８に伝わりにくく、従って駆動モータ７や重量センサ９等の信頼性が加熱室１内の熱で損なわれるのが抑制される。更に、金属製覆体８がシールパイプ４の下端近傍に位置しているため（シールパイプ４と金属製覆体８との間の隙間が小さいため）、例えシールパイプ４からマイクロ波が漏れ出ようとしても、このマイクロ波の漏出は金属製覆体８で抑制される。これにより、駆動モータ７や重量センサ９等の信頼性がマイクロ波によるノイズにより損なわれるのが抑制される。
【００１１】
【発明の効果】
本発明のマイクロ波加熱装置によれば、加熱室内からの漏洩マイクロ波と熱がターンテーブルを駆動するモータに不所望に伝わるのを抑制することができる。
【図面の簡単な説明】
【図１】本発明実施例の電子レンジの要部断面図である。
【図２】従来例の電子レンジの要部断面図である。
【図３】他の従来例の電子レンジの要部断面図である。
【符号の説明】
１                  加熱室
２        駆動シャフト
４        金属製シールパイプ
７        モータ
８        金属製覆体
９        重量センサ
【図１】
0003609665.tif 000002
【図２】
0003609665.tif 000003
【図３】
0003609665.tif 000004